(57)【要約】      （修正有）【課題】包丁等の刃物の刃体を砥面に対して一定角度を保持して手作業による研ぎを行う際に、刃を鋭角に研磨するため一方向研磨を容易に実現する器具を提供する。【解決手段】砥面及び砥面両側外方に脚ガイド部１１を備えた砥石本体Ａと、脚ガイド部１１に添って移動可能に設けた脚部４、及び脚部間に砥面上から所定の高さに浮いた状態で架設した刃体支持部５を備えた移動刃物台Ｂで構成される刃物研ぎ器において、移動刃物台Ｂに、載置した刃体位置を高くすると共に上方位置へ付勢する付勢上昇機構６を設けるか、或いは刃体支持部５を、刃体載置面部５１と、刃体載置面部の後縁部側から延設して刃体載置面部５１と対面して研ぎ対象の刃体の上方離脱を阻止する刃体抑え部５２とで構成してなる。【選択図】図１
2018065215.tif 000002
【特許請求の範囲】
【請求項１】
砥面及び砥面両側外方に脚ガイド部を備えた砥石本体と、脚ガイド部に添って移動可能に設けた脚部、及び脚部間に砥面上から所定の高さに浮いた状態で架設した刃体支持部を備えた移動刃物台で構成される刃物研ぎ器において、移動刃物台に、刃体支持位置を高くすると共に前記上方位置へ付勢する付勢上昇機構を設けてなることを特徴とする刃物研ぎ器。
【請求項２】
付勢上昇機構を脚部に設けてなる請求項１記載の刃物研ぎ器。
【請求項３】
脚ガイド部をレールに形成し、脚部下端に前記レール上を走行する車輪を設けると共に、前記車輪をレールから浮かす付勢上昇機構部を脚部に付設し、上昇時に前記車輪の上方部分が当接する上方レールを設けてなる請求項２記載の刃物研ぎ器。
【請求項４】
砥面及び砥面両側外方に脚ガイド部を備えた砥石本体と、脚ガイド部に添って移動可能に設けた脚部、及び脚部間に砥面上から所定の高さに浮いた状態で架設した刃体支持部を備えた移動刃物台で構成される刃物研ぎ器において、刃体支持部を、刃体載置面部と、前記刃体載置面部の後縁部側から延設して刃体載置面部と対面して研ぎ対象の刃体の上方離脱を阻止する刃体抑え部とで構成してなる刃物研ぎ器。
【請求項５】
刃体支持部を、刃体載置面部と、前記刃体載置面部の後縁部側から延設して刃体載置面部と対面して研ぎ対象の刃体の上方離脱を阻止する刃体抑え部とで構成してなる請求項１乃至３記載の何れかの刃物研ぎ器。
【請求項６】
刃体抑え部を板状に形成すると共に、前記刃体抑え部における刃体載置面部との先端対面箇所が研ぎ対象の刃体厚さに対応した挟小箇所となり、且つ前記狭小間隙より厚みを有する刃体に対して開拡可能となるＵ状の面クリップ形状に設けた請求項４又は５記載の刃物研ぎ器。
【請求項７】
板状の刃体抑え部における先端適宜位置に点状磁石部若しくは滑り止め部材を設けてなる請求項６記載の刃物研ぎ器。
【請求項８】
刃体支持部における刃体載置面部の前縁を研ぎ方向に対して斜辺に形成すると共に、刃体載置面自体も前記斜辺に対応する傾斜面に形成してなる請求項１乃至５記載の何れかの刃物研ぎ器。
【発明の詳細な説明】
【技術分野】
【０００１】
本発明は、包丁等の刃物の刃を手動で研磨する刃物研ぎ器に関するものである。
【背景技術】
【０００２】
包丁等の刃物の刃体を平砥石の砥面上を滑らすようにして刃先を研磨する場合、刃先角度を砥面に対して一定に維持しながら行う必要がある。この角度保持手段として砥石両側外方に位置させる脚部と、脚部間に砥面上から所定の高さに浮いた状態で架設した刃物支持部で構成するコの字状の移動刃物台を、砥石と砥石台で構成される砥石本体に付設した器具が知られている。
【０００３】
前記器具は、刃物支持部に刃物の刃体を載置して、刃体と砥面の角度を一定に維持した状態で、移動刃物台と共に刃体を往復移動させることで刃先研磨（研ぎ）を行うものである。特に移動刃物台が往復移動時に横方向にぶれない様に、脚部の下端に車輪を設けると共に砥石台にガイドレールを設け（特許文献１，２）、或いは脚部が嵌合するガイド溝を設けている（特許文献３，４）。
【先行技術文献】
【特許文献】
【０００４】
【特許文献１】実開昭５４―７２７９３号公報。
【特許文献２】特開２００５−１３８２２２号公報。
【特許文献３】実開昭５９−１８３７４３号公報。
【特許文献４】実開昭６１−１２７９７３号公報。
【発明の概要】
【発明が解決しようとする課題】
【０００５】
ところで包丁などの刃先研磨作業（研ぎ作業）において、刃先を砥面に当接して一定角度を維持して砥面上を往復運動させているが、往復時の押し引きの力加減に微妙な相違があるために、図８（ロ）左側の刃先図に示すように、刃先が僅かに丸く砥がれてしまい、研ぎ上がりの刃物の切れ味に問題がある。従って研ぎ作業は図８（イ）に示すように一方向でのみで研磨するのが好ましい。
【０００６】
しかし前記した移動刃物台を採用して一方向研磨を行うには、非常に煩瑣な動作が要求される。即ち研磨動作時（研ぎ動作時）は、手で刃物（包丁）を保持し、移動刃物台の載置台に刃体を押し付けて刃先縁を砥面に押圧しながら移動刃物台とともに研ぎを行うが、戻りの復帰動作には、非研磨動作が要求される。このため復帰動作時に刃先縁を砥面上から浮かせなければならなく、手に持った刃物を持ち上げると、移動刃物台から刃体の載置が解除されて移動刃物台の復帰動作ができなくなり、刃体と移動刃物台に何らかの関わりを持たせて刃物と一緒に移動刃物体の復帰動作を行う必要があるが、連続する往復動作において前記の微妙な操作は煩瑣であり、実際の研ぎ作業では容易に実現できない。
【０００７】
そこで本発明は、移動刃物台を採用した研ぎ器において、一方向研ぎを容易に実現できる新規な刃物研ぎ器を提案したものである。
【課題を解決するための手段】
【０００８】
本発明の請求項１記載に係る刃物研ぎ器は、第一の解決手段を備えたもので、砥面及び砥面両側外方に脚ガイド部を備えた砥石本体と、脚ガイド部に添って移動可能に設けた脚部、及び脚部間に砥面上から所定の高さに浮いた状態で架設した刃体支持部を備えた移動刃物台で構成される刃物研ぎ器において、移動刃物台に、載置した刃体位置を高くすると共に前記上方位置へ付勢する付勢上昇機構を設けてなることを特徴とするものである。
【０００９】
而して研ぎ対象の刃物（例えば庖丁）の刃体を刃体支持部に位置させて、移動刃物台の往復動作で刃体の刃先縁を砥面に当てながら摺動させるものであるが、移動刃物台に付勢上昇機構を設けているので、刃物で刃体支持部を下圧して刃先縁を砥面に当て、一方向に動作させた後（研ぎ動作後）、刃物による刃体支持部の下圧を減じて刃先縁を砥面から浮かせても刃体は刃体支持体で持ち上げられた状態となるので、そのまま元の位置に戻すと（復帰動作）、刃物と一緒に移動刃物台が研磨開始位置に戻り、再度研磨動作を行う。従って刃物に対する僅かな力加減で容易に一方向研磨を実現できるものである。
【００１０】
また本発明の請求項２記載に係る刃物研ぎ器は、特に付勢上昇機構を脚部に設けてなるもので、付勢上昇機構は例えば刃体支持部を付勢部材が介在した二重構造として実現することも可能であるが、刃体支持部に刃体支持のための多機能性を求めた場合に刃体支持部の構造が複雑になり製造上の煩瑣が生ずるが、脚部に付勢上昇機構を設ける場合は、脚部自体の伸縮構造、或いは脚下端と脚ガイド面との間に付勢伸縮機構を介装するという簡易な構成で実現することができる。
【００１１】
本発明の請求項３記載に係る刃物研ぎ器は、更に付勢上昇機構を脚部に設ける場合において、特に脚ガイド部をレールに形成し、脚部下端に前記レール上を走行する車輪を設けると共に、前記車輪をレールから浮かす付勢上昇機構部を脚部に付設し、上昇時に前記車輪の上方部分が当接する上方レールを設けてなるものである。
【００１２】
従って付勢上昇機構による刃体支持部の浮き上がり高さが抑えられると共に、移動刃物台の復帰動作がスムーズになされる。
【００１３】
本発明の請求項４記載に係る刃物研ぎ器は、第二の解決手段を備えたもので、砥面及び砥面両側外方に脚ガイド部を備えた砥石本体と、脚ガイド部に添って移動可能に設けた脚部、及び脚部間に砥面上から所定の高さに浮いた状態で架設した刃体支持部を備えた移動刃物台で構成される刃物研ぎ器において、刃体支持部を、刃体載置面部と、前記刃体載置面部の後縁部側から延設して刃体載置面部と対面して研ぎ対象の刃体の上方離脱を阻止する刃体抑え部とで構成してなることを特徴とするものである。
【００１４】
而して刃体を刃体載置面部と刃体抑え部の間に差し入れて研ぎ作業を行うもので、刃物を保持して刃先縁を砥面に当てて一方向に動作させた後（研ぎ動作後）、刃先縁を砥面から浮かせるように刃物を保持して元の位置に戻すと、刃体の腹の部分が刃体抑え部に当接するので刃物と移動刃物台が一緒に元の位置（研磨開始位置）に復帰することになる。従って前記の第一の手段と同様に刃物に対する僅かな力加減で容易に一方向研磨を実現できるものである。
【００１５】
本発明の請求項５記載に係る刃物研ぎ器は、前記した第一の解決手段（付勢上昇機構の付設）と第二の解決手段（刃体載置面部と対面する刃体抑え部の具備）したもので、研ぎ作業時の往復動作における刃物への力加減の許容範囲が広がるものである。
【００１６】
本発明の請求項６記載に係る刃物研ぎ器は、更に前記の刃体抑え部を板状に形成すると共に、前記刃体抑え部における刃体載置面部との先端対面箇所が研ぎ対象の刃体厚さに対応した挟小箇所となり、且つ前記狭小間隙より厚みを有する刃体に対して開拡可能となるＵ状の面クリップ形状に設けたもので、狭小対面箇所を備えることによって復帰動作時の移動刃物体との関わり（復帰動作時の同時移動）が確実になり、且つ刃体抑え部の上面から刃体を刃体載置面部に押しつけることができ、カーブしている様な刃体の刃元から刃先まで何れの箇所にも対応できる。更に厚みのある刃体に対しても対応できる。
【００１７】
本発明の請求項７記載に係る刃物研ぎ器は、更に板状の刃体抑え部の先端適宜位置に点状磁石部若しくは滑り止め部材を設けてなるもので、刃体と移動刃物台との関わりが確実となり刃体の安定保持機能が高められる。
【００１８】
本発明の請求項８記載に係る刃物研ぎ器は、特に刃体支持部における刃体載置面部の前縁を研ぎ方向に対して斜辺に形成すると共に、刃体載置面自体も前記斜辺に対応する傾斜面に形成してなるもので、刃体を斜交状態での研ぎを行えるようになる。
【発明の効果】
【００１９】
本発明の構成は上記のとおりで、移動刃物台に付勢上昇機構を設け、或いは刃体支持部を刃体載置面部及びこれと対面する刃体抑え部の具備したもので、研ぎ作業に際して刃物の下圧加減で移動刃物台と共に往復動作するに際して、刃先の砥面への当接の有無を選択できるので、簡単に一方向研ぎを実現でき、最適な仕上がりを得ることができる。
【図面の簡単な説明】
【００２０】
【図１】本発明の実施形態の全体の構成図。
【図２】同移動刃物台の下方斜視図。
【図３】同側面図。
【図４】同使用状態の説明図。
【図５】同使用状態の動作説明図（正面図）。
【図６】同一部拡大図。
【図７】同車輪とレールの説明図。
【図８】同刃先の研ぎ状態の説明図で（イ）は本発明（ロ）は従来例を示す。
【図９】同刃体の保持状態の説明図（平面図）。
【図１０】同刃体先部の研ぎ操作の場合の使用状態の説明図。
【図１１】同別例（第二実施例）の全体斜視図。
【図１２】同平面図。
【図１３】同別例（第三実施例）の全体斜視図。
【発明を実施するための形態】
【００２１】
次に本発明の実施形態について説明する。図１乃至１０は第一実施例の構成及びその使用状態を示すもので、その基本構成は、砥石本体Ａと移動刃物台Ｂで構成されるものである。
【００２２】
砥石本体Ａは、全体が左右側面を備えた下方開口コの字状の本体１と、本体１の上面の全体に貼設したマグネットシート２と、マグネットシート２上に設けた砥石板（ダイヤモンドシャープナー）３で形成される。
【００２３】
特に本体１の側面には後述する車輪が走行するための脚ガイド部１１を設ける。この脚ガイド部１１は、本体１の側面に凹部１２を形成すると共に、前記凹部１２の下縁全長に下方レール１３を設け、上縁全長に上方レール１４を設けてなるものである。また凹部１２の基端（本体１の基端）に前記凹部１２を塞ぐ方向にストッパー部１５を突設したものである。
【００２４】
移動刃物台Ｂは、砥石本体Ａを跨る構成としたもので、本体１の左右側面に位置することになる脚部４と脚部４の上端間に設けた刃体支持部５で構成され、脚部４には、前記下方レール１３上を走行すると共に、上下レール１３，１４間の距離よりも短径の車輪４１ａ，４１ｂを前後に軸装し、更に上昇付勢機構６を付設したものである。
【００２５】
刃体支持部５は、脚部４と連続する金属板で形成される刃体載置面部５１と、前記刃体載置面部５１の後縁部側から延設して刃体載置面部５１と対面する刃体抑え部５２で構成され、刃体載置面部５１は砥石板３の砥面に対して研磨角度θと対応する傾斜面としてなる。また刃体抑え部５２は、板状で刃体載置面部５１との先端が狭小間隙となるＵ状の面クリップ形状（拡開に対して対応できる弾性を備える形状）となるように形成し、また先端の適宜位置に点状磁石部５３を設けてなる。
【００２６】
上昇付勢機構６は、脚部４の下方位置の前後車輪４１ａ，４１ｂに切り起こしの突板部６１を設け、当該突板部６１に湾曲板バネ体６２を設けて形成されたものである。
【００２７】
特に湾曲板バネ体６２が下方レール１３に当接状態では、車輪４１ａ，４１ｂを下方レール１３から持ち上げて上方レール１４と当接させ、移動刃物台Ｂ全体を下圧すると車輪４１ａ，４１ｂが下方レール１３と当接するように、湾曲板バネ体６２の位置を設定するものである。
【００２８】
而して包丁（刃物）Ｃを研ぐ場合は、包丁Ｃの刃体０１を刃体載置面部５１と刃体抑え部５２間に差し入れて、刃先縁０２が刃体載置面部５１の前縁と略平行で且つ適宜突出するように保持させ、当該状態で包丁Ｃの刃体０１の先方と柄部０３を手で保持して移動刃物台Ｂを前後に操作して研ぎ作業を行う。
【００２９】
この時の作業における往復動作において、手前に引き戻すときに下圧を加えて刃先縁０２を砥面３１に押し付けて刃先研磨（研ぎ動作）を行い（図５イ，図６イ）、手前側から砥石３の前方位置に移動させる際には、下圧力を減じて刃先縁０２を砥面３１から浮かせた状態で行う（復帰動作）。即ち下圧力を減ずると付勢上昇機構６によって刃体支持部５が浮き上がり、それとともに包丁Ｃ自体も浮き上がりそのまま手前に引き戻し、研ぎ動作開始位置に復帰させる。特に刃体０１は刃体載置面部５１に載置状態であるか、或いは刃体抑え部５２に当接しているので、前記の復帰動作は必ずは移動刃物台Ｂと包丁Ｃが一緒に動作することになる。
【００３０】
従って往復動作を下圧状態と下圧を減じての状態を繰り返す動作とすることで、刃先縁０２の研磨は移動刃物台Ｂを手前に引き寄せる際のみの一方向となり、刃先縁０２の鈍くなる（丸くなる）研磨を防ぐことになる。勿論前方へ押し出す動作に際して下圧して研磨し、手前に引き戻す際に下圧を減ずる状態で研ぎ作業を行っても良い。
【００３１】
特に前記の下圧移動及び下圧を減じての移動に際しては、図６，７に示すように下圧移動に際しては車輪４１ａ，４１ｂが下方レール１３と当接して走行することになり、下圧を減じた際の移動においては、湾曲板バネ体６２で移動刃物台Ｂ全体を持ち上げ、車輪４１ａ，４１ｂが上方レール１４と当接して移動することになり、移動刃物台Ｂの上方の浮き上がりが制限されると共に、移動刃物台Ｂの移動がスムーズになされる。
【００３２】
また前記の研ぎ作業は図９に示すように刃体０１の位置をずらしたり、包丁Ｃの角度を変えることで包丁Ｃの何れの箇所の研ぎにも対応でき、特に刃先部分を研ぐ場合には、図１０に示すように刃体抑え部５２を抑え込んで作業すると安全に行うことができる。特に包丁Ｃが磁気吸着材料で形成されている場合には、刃体０１を刃体載置面部５１と刃体抑え部５２の間に位置させると、下圧を減じた際に刃体０１が点状磁石部５３に吸着し、確実な復帰動作がなされる。また点状磁石部に代えて滑り止め部材を設けておくと、下圧を減じた際の引き戻しにおいて、刃体０１が前記滑り止め部材に当接し、移動刃物台Ｂと一体となって移動とするので、包丁Ｃが磁気吸着材料で形成されいな場合でも各自な復帰動作が実現できる。
【００３３】
また本発明の変形例としては、図１１及び図１２に示す第二実施例のように、刃体支持部５ａにおける刃体載置面部５１ａの前縁を研ぎ方向となる前後摺動方向に対して斜辺５４に形成すると共に、刃体載置面５５も前記斜辺５４に対応する傾斜面に形成した研ぎ器でも良い。また線材で形成した刃体抑え部５２ａを採用しても良い。この第二実施例の研ぎ器は図１２に示すよう刃先縁０２を斜めにした状態で一方向研磨の研ぎ作業を行うことができるものである。
【００３４】
更に図１３には第三実施例を示した。この第三実施例は刃体抑え部５２ｂに刃体挟持機能を備えさせた研ぎ器である。この研ぎ器は上昇付勢機構を具備している場合に適用されるもので、刃体が刃体載置面部５１と刃体抑え部５２ｂとで挟持されて移動刃物台Ｂと一体にとなって研ぎ作業がなされるものである。
【符号の説明】
【００３５】
Ａ      砥石本体
Ｂ      移動刃物台
Ｃ      包丁
１      本体
１１    脚ガイド部
１２    凹部
１３    下方レール
１４    上方レール
１５    ストッパー部
２      マグネットシート
３      砥石板
４      脚部
４１ａ，４１ｂ    車輪
５      刃体支持部
５１，５１ａ    刃体載置面部
５２，５２ａ，５２ｂ    刃体抑え部
５３    点状磁石部
５４    斜辺
５５    刃体載置面
６      上昇付勢機構
６１    突板部
６２    湾曲板バネ体
０１    刃体
０２    刃先縁
０３    柄
【図１】
2018065215.tif 000003
【図２】
2018065215.tif 000004
【図３】
2018065215.tif 000005
【図４】
2018065215.tif 000006
【図５】
2018065215.tif 000007
【図６】
2018065215.tif 000008
【図７】
2018065215.tif 000009
【図８】
2018065215.tif 000010
【図９】
2018065215.tif 000011
【図１０】
2018065215.tif 000012
【図１１】
2018065215.tif 000013
【図１２】
2018065215.tif 000014
【図１３】
2018065215.tif 000015